(57)【要約】【課題】コンソール本体内のデッドスペースを有効利用して、新たに物品収納部を新設し得るようにする。【解決手段】コンソール本体１２に設けた第１の物品収容部１６に隣接した位置に、上方へ開口する第２の物品収容部１８を設ける。コンソール本体１２の上面に、該コンソール本体１２の側方へ回動する回動支持部材６０を設ける。この回動支持部材６０の上面には、スライド機構４０の支持ガイド部材４２が固定される。これにより、回動支持部材６０を回動させることなくコンソールリッド１４を前方停止位置へ移動すると、第１の物品収容部１６のみが開放して第２の物品収容部１８は該コンソールリッド１４で覆蓋される。また、回動支持部材６０の回動と共にコンソールリッド１４をコンソール本体１２の側方へ回動すると、第１の物品収容部１６および第２の物品収容部１８の両方が開放する。【選択図】図１
2005225283.tif 000002
【特許請求の範囲】
【請求項１】
スライド機構(40)を介してコンソールリッド(14)がコンソール本体(12)の上面に沿ってスライド可能に配設され、このコンソールリッド(14)を所要の停止位置まで移動させた際に、コンソール本体(12)に設けた上方へ開口する物品収容部(16)が開放されるフロアコンソールにおいて、
前記コンソール本体(12)において前記物品収容部(16)に隣接して画成され、上方へ開口する第２の物品収容部(18)と、
前記コンソール本体(12)の上面に配設されて該コンソール本体(12)の任意方向へ回動し、その上面に前記スライド機構(40)の構成部材(42)が固定される回動支持部材(60)とを有し、
前記回動支持部材(60)を回動させることなく前記コンソールリッド(14)を所要の停止位置へ移動すると、前記第１の物品収容部(16)のみが開放して前記第２の物品収容部(18)は該コンソールリッド(14)で覆蓋され、
前記回動支持部材(60)の回動と共に前記コンソールリッド(14)をコンソール本体(12)の任意方向へ回動すると、前記第１の物品収容部(16)および第２の物品収容部(18)の両方が開放するよう構成した
ことを特徴とするフロアコンソール。
【請求項２】
前記回動支持部材(60)は、前記コンソール本体(12)の側方へ回動するよう配設され、該コンソール本体(12)の上面への倒伏状態および該上面からの起立状態に姿勢変位可能となっている請求項１記載のフロアコンソール。
【請求項３】
前記コンソールリッド(14)は、前記スライド機構(40)により前記コンソール本体(12)の前後方向へスライド移動し、かつ前記回動支持部材(60)により該コンソール本体(12)の側方へ回動するようになっている請求項２記載のフロアコンソール。
【請求項４】
前記コンソールリッド(14)は、スライド移動して所要の停止位置へ到来した際に、前記コンソール本体(12)の側方への回動が許容される請求項３記載のフロアコンソール。
【請求項５】
前記回動支持部材(60)の所要位置に設けられ、前記コンソール本体(12)に設けた係止受部(26)に対し係脱可能に係止する係止部(78)を有する係止部材(72)と、前記コンソールリッド(14)の所要位置に設けられ、係止部(78)と係止受部(26)との係止を解除するよう前記係止部材(72)を操作可能な操作部材(74)とからなる回動規制機構(70)を有し、
前記操作部材(74)による前記係止部材(72)の操作が行なわれた場合にだけ、前記係止部(78)と係止受部(26)との係止を解除させ、コンソール本体(12)に対するコンソールリッド(14)の回動が許容される請求項１〜４の何れかに記載のフロアコンソール。
【請求項６】
前記操作部材(74)は、前記コンソールリッド(14)の外面に露出しないように配設されている請求項５記載のフロアコンソール。
【発明の詳細な説明】
【技術分野】
【０００１】
本発明は、フロアコンソールに関し、更に詳細には、スライド機構を介してコンソールリッドがコンソール本体の上面に沿って任意方向へスライド可能に配設され、このコンソールリッドを所要の停止位置まで移動させた際に、コンソール本体に設けた上方へ開口する物品収容部が開放されるフロアコンソールに関するものである。
【背景技術】
【０００２】
例えば、セダンタイプやステーションワゴンタイプ等の自動車では、車内における前部座席間(運転席と助手席との間)のフロアに、車体前後方向へ延在するフロアコンソールが配設されている。例えば、図１２に例示するフロアコンソール１００は、インジェクション成形部材である合成樹脂製のコンソール本体１２を主体とし、このコンソール本体１２の後部には上方へ開口するよう画成された物品収納部１６が設けられており、身辺小間物等を出し入れ可能に収納し得るようになっている。そして物品収納部１６の上部には、この物品収納部１６の上方開口部を開閉可能に閉成するコンソールリッド１４が配設されている。
【０００３】
またフロアコンソール１００は、図示しない前部座席に隣接して設置されるため、前述したコンソールリッド１４を、これら座席に座った乗員の使用に供されるアームレストＡＲとして機能させるようになっている。そこで、アームレストＡＲとしての使用感や質感の向上を図るため、適宜の弾力性を有するパッド部材３４をコンソールリッド１４の上面に設けた構造となっている場合が多い。ここでパッド部材３４は、ウレタンフォーム材等から形成されて弾力性を有する芯材３６と、この芯材３６の外側全体を被覆する表皮材３８とから構成され、触感向上および質感向上を図るよう構成したものもある。このようなフロアコンソールに関しては、例えば特許文献１に開示されている。
【特許文献１】実開平５−１３８４７号公報
【発明の開示】
【発明が解決しようとする課題】
【０００４】
ところで前述した前部座席は、車体の前後方向へスライドさせるためのスライド機構が装備されており、乗員が自分の体格に適した位置に調整し得るようになっている。このため、アームレストＡＲとして機能する前述のコンソールリッド１４は、前部座席がどの位置にあっても適切に使用し得るようにする必要があるため、コンソール本体１２の上面に沿って前後方向へスライド移動する構造が採用されている。すなわち従来のフロアコンソール１００では、図１２に例示したように、コンソール本体１２におけるリッド配設部位の前側部分に取付固定した支持ガイド部材４２と、コンソールリッド１４の裏面に固定して支持ガイド部材４２に摺接されるスライド部材４４とからなるスライド機構４０を装備している。これによりコンソールリッド１４は、物品収容部１６を完全に閉成した後方停止位置(図１２(ａ))およびこの物品収容部１６を完全に開放した前方停止位置(図１２(ｂ))の間で、コンソール本体１２の上面に沿って前後方向へスライド移動可能となっている。従って、物品収容部１６に対する物品の出し入れは、コンソールリッド１４を前方停止位置までスライド移動させ、物品収容部１６の上方開口部を開放させたもとで行なうことができる。
【０００５】
しかしながら従来のフロアコンソール１００は、図１２から明らかなように、スライド機構４０の構成部材である支持ガイド部材４２を、リッド配設部位の前側部分においてコンソール本体１２の上面へ直接的に固定する構造となっているため、図１２(ｂ)に例示したように、コンソールリッド１４を前方停止位置へ到来させても、コンソールリッド１４の後側部位が幅Ｌに亘ってリッド配設部位に重なっている。このため、コンソール本体１２の内部には、この幅Ｌに対応した領域にデッドスペースが形成されてしまい、この空間を有効に利用していない課題があった。なお、物品収容部１６の内部容積を拡大することは可能であるが、上方開口部を拡大することができないため、物品収容部１６に対する物品の収納および取出しが却って行ない難くなる虞れがある。
【０００６】
一方、従来のフロアコンソール１００では、手で押すかまたは引くだけでコンソールリッド１４のスライド移動が簡単に行なわれるようになっており、誰でも前述の物品収容部１６を簡単に開放し得る構造となっていた。このため盗難被害等の観点からすると、財布や免許証等の貴重品をこの物品収容部１６へ収納したまま車を離れることが困難な課題等もあった。
【０００７】
そこで本発明では、コンソール本体内のデッドスペースを有効利用して、新たに物品収納部を新設し得るようにしたフロアコンソールを提供することを目的とする。
【課題を解決するための手段】
【０００８】
前記課題を解決し、所期の目的を達成するため本発明は、
スライド機構を介してコンソールリッドがコンソール本体の上面に沿ってスライド可能に配設され、このコンソールリッドを所要の停止位置まで移動させた際に、コンソール本体に設けた上方へ開口する物品収容部が開放されるフロアコンソールにおいて、
前記コンソール本体において前記物品収容部に隣接して画成され、上方へ開口する第２の物品収容部と、
前記コンソール本体の上面に配設されて該コンソール本体の任意方向へ回動し、その上面に前記スライド機構の構成部材が固定される回動支持部材とを有し、
前記回動支持部材を回動させることなく前記コンソールリッドを所要の停止位置へ移動すると、前記第１の物品収容部のみが開放して前記第２の物品収容部は該コンソールリッドで覆蓋され、
前記回動支持部材の回動と共に前記コンソールリッドをコンソール本体の任意方向へ回動すると、前記第１の物品収容部および第２の物品収容部の両方が開放するよう構成したことを特徴とする。
【発明の効果】
【０００９】
本発明に係るフロアコンソールによれば、スライド機構の構成部材を、コンソール本体の上面に回動可能に配設した回動支持部材の上面に取付固定するため、コンソール本体の上面に配設したコンソールリッドを、スライド移動および任意方向への回動をさせ得るようにしたもとで、第１の物品収容部に隣接した第２の物品収容部の画成が可能とされ、物品収容能力の増大を図り得る有益な効果を奏する。しかも、回動支持部材の回動を規制する回動規制機構を外部に露出しないように配設したため、第２の物品収容部をシークレットボックスとして実施し得るようになり、種々貴重品を収容することも可能となる等の利点もある。
【発明を実施するための最良の形態】
【００１０】
次に、本発明に係るフロアコンソールにつき、最適な実施例を挙げて、添付図面を参照しながら以下説明する。
【００１１】
本発明のフロアコンソールは、適宜のスライド機構によりコンソールリッドがコンソール本体の上面に沿って前後方向へスライド可能に配設され、このコンソールリッドを前方停止位置まで移動させた際に、コンソール本体に後部に上方へ開口するよう画成した物品収容部が開放されるフロアコンソールが前提とされる。そこで後述する実施例では、図１２に例示した従来のフロアコンソール１００を基本としたフロアコンソールで説明し、図１２に既出の部材・部位と同一の部材・部位については同一の符号を付すこととする。
【実施例】
【００１２】
(実施例)
図１は、好適実施例に係るフロアコンソールを、コンソールリッドを開放した状態で例示した概略斜視図、図２は、図１に例示したフロアコンソールを、コンソールリッドを閉じた状態で示した部分斜視図、図３は、図２に例示したフロアコンソールを、コンソールリッドを前方停止位置までスライドさせた状態で示した部分斜視図である。また、図４は図２のIV−IV線断面図、図５は図３のＶ−Ｖ線断面図、図６は図３のVI−VI線断面図である。本実施例のフロアコンソール１０は、図示しない前部座席(運転席と助手席)との間に設置し得るサイズに形成されたコンソール本体１２と、このコンソール本体１２の上面に配設され、その前後方向へのスライド移動および側方への回動変位が可能なコンソールリッド１４とから基本的に構成されている。
【００１３】
コンソール本体１２は、例えばポリプロピレン(ＰＰ)等の合成樹脂素材からインジェクション成形された合成樹脂製の成形部材であって、成形の簡易性またはデザインの多様性等の理由から、別々に成形された上部半体２０と下部半体２２とを上下に組合わせた構成となっている。そして、これら上部半体２０と下部半体２２とから構成されたコンソール本体１２は、図示しないチェンジレバー等の機器配設部やドリンクホルダ等が設けられた前側部分１２Ａと、この前側部分１２Ａよりも高さ寸法が大きく設定されて第１の物品収容部１６および第２の物品収容部１８等が画成された後側部分１２Ｂとに便宜的に区分されている。ここで第１の物品収容部１６は、図１２に例示した従来のフロアコンソール１００における物品収容部１６と同一位置でかつ同一の形状・サイズ(容積)に画成されたものであり、また第２の物品収容部１８は、第１の物品収容部１６の前側に隣接する部位(前述したスライド機構４０の支持ガイド部材４２が設置される部位)に対応して新設したものである。なお、コンソール本体１２の背面側には、図示しないダクトを介してエアコンユニットに連通接続された空気吹出口２４が設けられ、後部座席の側へエアコンユニットからの調温空気を吹出し得るようになっている。
【００１４】
コンソールリッド１４は、例えばポリプロピレン(ＰＰ)等の合成樹脂素材からインジェクション成形され、前述した後側部分１２Ｂの上面である平面略矩形状のリッド配設部位に整合し得る形状・サイズとされたバケット状のアウター部材３０と、同じくポリプロピレン(ＰＰ)等の合成樹脂素材からインジェクション成形され、アウター部材３０の内側に嵌合装着されるトレー状のインナー部材３２とから構成されている。そして、アウター部材３０の外面(上面)に、ウレタンフォーム等から形成されて弾力性を有する芯材３６およびこの芯材３６の外側全体を被覆する表皮材３８から構成されるパッド部材３４が装着され、アームレストＡＲとして機能させるうえでの触感および質感の向上が図られている。なおパッド部材３４は、図示しない発泡成形型にアウター部材３０と予備成形した表皮材３８をセットしたもとで、両者間に注入したウレタン原料を発泡・硬化されて芯材３６を成形することで、アウター部材３０の外面に装着される。
【００１５】
前述のコンソールリッド１４は、各図に例示したスライド機構４０により、コンソール本体１２の上面に沿って前後方向へスライド移動可能に配設されている。このスライド機構４０は、基本的構成が図１２に例示した従来のフロアコンソール１００に装備のものと同一であって、コンソール本体１２に配設した後述の回動支持部材６０の上面に取付固定した支持ガイド部材４２と、コンソールリッド１４の裏面に取付固定されて、支持ガイド部材４２に摺動可能に取付けられるスライド部材４４とから構成されている。支持ガイド部材４２は、図９に例示したように、矩形平板状の取付基板４２Ａの左右両端縁に、断面逆Ｌ形の支持片４２Ｂ,４２Ｂを一体的に形成した金属製または合成樹脂製のカギ型部材であって、回動支持部材６０の上面に対して取付基板４２Ａを密着させた状態でビス４６で固定されている。また、左右各々の支持片４２Ｂ,４２Ｂの内側には、ガイド溝４８Ａを凹設した支持レール４８,４８がガイド溝４８Ａ同士を対向させた向きに嵌合装着されており、これら支持レール４８,４８に摺動可能に嵌合したスライド部材４４のスライド移動を許容するようになっている。なお支持レール４８,４８は、例えばポリアセタール(ＰＯＭ)等の自己潤滑性を有する合成樹脂から形成されたもので、スライド部材４４のスムーズなスライド移動を実現する。
【００１６】
スライド部材４４は、コンソールリッド１４のインナー部材３２の裏側に収容可能な長さ寸法に設定され、細長の取付基体４４Ａの左右両端縁に、この取付基体４４Ａの幅方向(外方)へ延出すると共にその長手方向へ延在するガイド突片４４Ｂ,４４Ｂを一体的に形成した金属製または合成樹脂製の部材であって、インナー部材３２の裏面取付部３２Ａに対して取付基体４４Ａを密着させた状態でビス５０で固定されている。このようなスライド部材４４は、支持ガイド部材４２の側方開口部に対して側方から挿入することで、各々のガイド突片４４Ｂ,４４Ｂが対応の支持レール４８,４８のガイド溝４８Ａへ摺動可能に係合し、支持ガイド部材４２に対してスライド移動が可能に組付けられる。
【００１７】
また、スライド部材４４の取付基体４４Ａには、その長手方向に沿って所要間隔毎に合計５個の係合口５２が開設されていると共に、支持ガイド部材４２の取付基板４２Ａの略中央には、適宜の弾性部材から形成されて、各係合口５２に対して弾性変形しながら係脱可能に係合する逆Ｖ字形の弾性スプリング５４が配設されている。これによりスライド部材４４は、支持ガイド部材４２に対して長手方向へスライド移動するに際し、弾性スプリング５４の頂部が各係合口５２へ係合する度毎に停止保持させ得るようになっており、これによりコンソールリッド１４は、コンソール本体１２に対して前後方向へスライド移動させながら、前部座席の位置に合わせて５段階に使用位置を調整し得る。但し、係合口５２の設定個数は５個に限定されるものではない。
【００１８】
そして本実施例のフロアコンソール１０では、図１に例示したように、前述した第２の物品収容部１８の新規画成に伴い、この第２の物品収容部１８の上方開口部に臨むように回動支持部材６０が配設され、この回動支持部材６０の上面に、前述したスライド機構４０における支持ガイド部材４２が取付固定されるようになっている。従ってコンソールリッド１４は、スライド機構４０を介して回動支持部材６０へ直接的に支持されており、この回動支持部材６０を介してコンソール本体１２の上面に配設されている。ここで回動支持部材６０は、第２の物品収容部１８における左側端縁に設けた取付段部１８Ａにビス６６で固定される取付板６２と、この取付板６２にヒンジ接合されて第２の物品収容部１８の上方開口部を覆蓋し得る略矩形状の支持板６４とから構成されている。従って回動支持部材６０は、ヒンジ軸がコンソール本体１２の長手方向へ延在する向きでコンソール本体１２に取付けられているため、この回動支持部材６０の支持板６４は、該コンソール本体１２の横方向(左側方)に向けて回動するようなり、該コンソール本体１２の上面への倒伏状態および該上面からの起立状態に姿勢変位可能となっている。
【００１９】
このように、スライド機構４０および回動支持部材６０とを装備した本実施例のフロアコンソール１０では、回動支持部材６０を回動させることなく(コンソール本体１２の上面へ倒伏させて)コンソールリッド１４を通常停止位置へ移動すると、図２および図４に例示したように、第１の物品収容部１６および第２の物品収容部１８の両方が該コンソールリッド１４で覆蓋される。そして、回動支持部材６０を回動させることなく(コンソール本体１２の上面へ倒伏させて)コンソールリッド１４を前方停止位置へ移動させると、図３,図５および図６に例示したように、第１の物品収容部１６のみが開放して第２の物品収容部１８は該コンソールリッド１４で覆蓋される。更に、回動支持部材６０を回動させて(コンソール本体１２の上面から起立させて)コンソールリッド１４をコンソール本体の左側方へ回動させると、図１および図８に例示したように、第１の物品収容部１６および第２の物品収容部１８の両方が開放するようになる。
【００２０】
更に本実施例のフロアコンソール１０では、前述した回動支持部材６０の回動規制を行なうための回動規制機構７０を装備しており、回動支持部材６０の倒伏状態から起立状態への回動変位、すなわちコンソールリッド１４の側方への回動操作は、このコンソールリッド１４がスライド移動して前方停止位置に到来し、この前方停止位置に位置しているときにだけ許容される構造となっている。この回動規制機構７０は、図７,図９および図１０等に例示するように、回動支持部材６０における支持板６４の自由端凹部６４Ａに配設された係止部材７２と、コンソールリッド１４の右側後部に配設された操作部材７４とから構成されている。そして、コンソールリッド１４が前方停止位置に到来した際に、操作部材７４が係止部材７２に整合するように設定されていて(図５,図６)、この操作部材７４に対する指先操作により係止部材７２の操作が可能となる一方、コンソールリッド１４が前方停止位置以外に位置していると操作部材７４が係止部材７２に整合しないため(図４)、この操作部材７４に対して指先操作を行なっても係止部材７２の操作が不可能となっている。
【００２１】
係止部材７２は、図７,図９および図１０に例示したように、回動支持部材６０の支持板６４を表面および裏面から挟持する本体７６と、この本体７６の下端面から側方へ延出した状態に形成されて、コンソール本体１２に画成した第２の物品収容部１８の側面に設けた係止口(係止受部)２６に対し係脱可能に係止する係止爪(係止部)７８と、本体７６の上端面から上方へ延出した状態に形成され、前述した操作部材７４の当接板９２が当接する当受板８０とから構成されている。また本体７６には、支持板６４に形成されたガイド溝６８,６８に対応的に係合する凸部８２,８２が形成されており、支持板６４に装着された係止部材７２は、図７における左右方向へ所要量だけスライド移動が可能となっている。また、凹部６４Ａの端面と本体７６との間に圧縮スプリング８４が介装されていて、常には凸部８２がガイド溝６８の右端に当接する位置に係止部材７２を付勢保持しており、この状態では係止爪７８が係止口２６へ突入係止するようになっている。
【００２２】
操作部材７４は、指先による押圧操作がなされる操作部８８と、この操作部８８の裏側に連設され、アウター部材３０およびインナー部材３２に穿設された貫通孔２８へ挿通される操作軸９０と、この操作軸９０の先端に取付られて、係止部材７２の当受板８０に当接する当接板９２とから構成され、アウター部材３０に設けた設置部３１に対してスライド移動可能に取付けられている。そして操作軸９０には、操作部８８とアウター部材３０の間に介装される圧縮スプリング９４が装着されていて、常には当接板９２がインナー部材３２に当接する位置に操作部材７４を付勢保持している。なお、係止部材７２および操作部材７４が各々の圧縮スプリング８４,９４の付勢に基づいて通常の位置に付勢保持されている状態では、コンソールリッド１４を前方停止位置へスライド移動させるに際して、当接板９２が当受板８０へ接触しないようになっている。
【００２３】
従って、コンソールリッド１４を前方停止位置へ移動させ、操作部材７４の当接板９２が係止部材７２の当受板８０に整合した状態(図５,図６)において操作部８８を指先等で押圧すると、圧縮スプリング９４の付勢に抗して操作部材７４が図７の左方向へ移動して係止部材７２を押すようになるため、この係止部材７２も圧縮スプリング８４の付勢に抗して左方向へ移動し、よって係止爪７８が係止口２６から抜け出て両者の係止が解除される。これにより、倒伏状態にあった回動支持部材６０の支持板６４が倒立状態へ回動することが許容され、コンソールリッド１４がコンソール本体１２の左側方へ回動することが可能となる。換言すると、コンソールリッド１４が前方停止位置以外に位置している場合(図４等)では、操作部材７４の当接板９２が係止部材７２の当受板８０に整合していないため、操作部８８を指先等で押圧して操作部材７４を操作したとしても、係止部材７２の操作がなされないために係止爪７８が係止口２６から抜け出ず、よって回動支持部材６０の回動およびコンソールリッド１４の回動ができない。
【００２４】
ここで前述した操作部材７４は、図６および図７から明らかなように、パッド部材３４の表皮材３８に被覆された状態でコンソールリッド１４の設置部３１に設置されており、コンソールリッド１４(アームレストＡＲ)に表記をしない限り外部からは全く認識されない。従って例えば表皮材３８に、操作部材７４の配設位置または操作方法等を表記しない場合には、当該車両の所有者(家族等を含む)以外は操作部材７４の存在を認識できないため、所有者以外の者がコンソールリッド１４を左側方へ回動させることができない。換言すると所有者以外の者は、コンソールリッド１４をスライド移動させて第１の物品収容部１６は開放させ、第１の物品収容部１６に対する物品の出し入れを行ない得るとしても、コンソールリッド１４を回動させて第２の物品収容部１８を開放させることはできないから、第２の物品収容部１８に対する物品の出し入れは行なうことができない。すなわち第２の物品収容部１８は、所有者以外にその存在を知られない所謂「シークレットボックス」として実施することが可能となり、財布や免許証等の貴重品を収容することを可能とし得る。
【００２５】
但し、第２の物品収容部１８にシークレットボックスとしての機能を具有させる必要がない場合には、前述した表皮材３８に操作部材７４の配設位置または操作方法を表記するか、或いはパッド部材３４に操作口を開設して操作部材７４を外方から視認できるよう配設してもよい。また、第２の物品収容部１８にシークレットボックスとしての機能を具有させる必要がない場合には、前述した回動規制機構７０の装備を省略してもよく、例えば回動規制部材６０の支持板６４とコンソール本体１２とが弾性的に係合する弾性係合機構を設け、所定以上の力を以てコンソールリッド１４を側方へ回動させようとした場合に両者の係合が解除され、支持板６４およびコンソールリッド１４の回動が許容される構造等に代替することができる。
【００２６】
このように本実施例のフロアコンソール１０では、スライド機構４０の構成部材である支持ガイド部材４２を、コンソール本体１２の上面に回動可能に配設した回動支持部材６０の支持板６４の上面に取付固定するようにしたため、コンソール本体１２の上面に配設したコンソールリッド１４を前後方向へのスライド移動および左側方への回動をさせ得るようにしたもとで、第１の物品収容部１６の前側に隣接した第２の物品収容部１８の画成が可能とされ、物品収容能力の増大を図り得る。しかも、回動支持部材６０の回動を規制する回動規制機構７０の操作部材７４を外部に露出しないように配設したため、第２の物品収容部１８をシークレットボックスとして実施することが可能となり、財布や免許証等の種々貴重品を収容することも可能である。
【００２７】
なお前述した実施例では、回動支持部材６０をコンソール本体１２の左側方に向けて開放するよう配設して、コンソールリッド１４を左側方へ回動させる開放形態を例示したが、このコンソールリッド１４の回動方向はこれに限定されるものではない。例えば、回動支持部材６０をコンソール本体１２の右側方に向けて開放するよう配設し、これによりコンソールリッド１４を右側方へ回動させる開放形態としてもよい。また、コンソール本体１２の後側部分１２Ｂと前側部分１２Ａとの段差がかなり大きい場合、具体的には図５におけるコンソールリッド１４の前側延出長と略同程度の段差がある場合には、回動支持部材６０をコンソール本体１２の前方に向けて開放するよう配設し、これによりコンソールリッド１４を前方へ回動させる開放形態としてもよい。
【００２８】
(変更例)
図１１は、変更例に係るフロアコンソール１０の概略斜視図であって、この変更例のフロアコンソール１０は、図１１(ａ)に例示するように、コンソールリッド１４とパッド部材３４との間に第２のスライド機構９６を設置することで、コンソールリッド１４に対してパッド部材３４をスライド移動可能に配設したものである。すなわち第２のスライド機構９６は、コンソールリッド１４のアウター部材３０の上面に敷設したガイドレール９８,９８と、パッド部材３４の裏面に固定されてガイドレール９８に沿って摺動するスライド部材９９,９９とから構成されている。このような構成によれば、図示しない前部座席のアームレストＡＲとして実施されるパッド部材３４は、コンソールリッド１４を移動させることなく位置調整を行なうことができ、パッド部材３４を適宜に前方へ移動させたとしても、第１の物品収容部１６をコンソールリッド１４で閉じたままに保持し得る。なおコンソールリッド１４は、前述した実施例と同様の開放態様とされ、前述のスライド機構４０によりコンソール本体１２に対する前後方向へのスライド移動が可能となっていると共に、回動支持部材６０により左側方への回動が可能となっており(図１１(ｂ))、前方停止位置へのスライド移動により第１の物品収容部１６のみの開放が許容され、左側方への回動により第２の物品収容部１８の開放が許容される点は前述した実施例と同様である。
【産業上の利用可能性】
【００２９】
本発明に係るフロアコンソールは、スライド機構を介してコンソールリッドがコンソール本体の上面に沿って任意方向へスライド可能に配設され、このコンソールリッドを所要の停止位置まで移動させた際に、コンソール本体に設けた上方へ開口する物品収容部が開放されるフロアコンソールにおいて、物品収容性能の向上を図るようにしたフロアコンソールであって、フロアコンソールを有する全ての自動車に好適に実施可能である。
【図面の簡単な説明】
【００３０】
【図１】好適実施例に係るフロアコンソールを、コンソールリッドを開放した状態で例示した概略斜視図である。
【図２】図１に例示したフロアコンソールを、コンソールリッドを閉じた状態で示した部分斜視図である。
【図３】図２に例示したフロアコンソールを、コンソールリッドを前方停止位置までスライドさせた状態で示した部分斜視図である。
【図４】図２のIV−IV線断面図である。
【図５】図３のＶ−Ｖ線断面図である。
【図６】図３のVI−VI線断面図である。
【図７】操作部材を指先等で押圧して操作することで、係止部材がスライドして係止爪と係止口との係止が解除されることを示した説明断面図である。
【図８】図１のVIII−VIII線断面図である。
【図９】回動支持部材、スライド機構および回動規制機構を示した部分斜視図である。
【図１０】回動支持部材の支持板に対する係止部材の取付態様を示した説明斜視図である。
【図１１】変更例に係るフロアコンソールの説明斜視図であって、(ａ)は、コンソールリッドに対してパッド部材のみをスライド移動させた状態を示し、(ｂ)は、コンソールリッドおよびパッド部材を一体的にスライド移動させると共に一体的に回動させることで、第１の物品収容部および第２の物品収容部の両方を開放した状態を示している。
【図１２】従来のフロアコンソールを示した説明図であって、(ａ)は、コンソールリッドにより物品収容部を閉じた状態を示し、(ｂ)は、コンソールリッドを前方へスライド移動させることにより物品収容部を開放した状態を示している。
【符号の説明】
【００３１】
１２  コンソール本体
１４  コンソールリッド
１６  第１の物品収容部
１８  第２の物品収容部
２６  係止口(係止受部)
４０  スライド機構
４２  支持ガイド部材(構成部材)
６０  回動支持部材
７０  回動規制機構
７２  係止部材
７４  操作部材
７８  係止爪(係止部)
【図１】
2005225283.tif 000003
【図２】
2005225283.tif 000004
【図３】
2005225283.tif 000005
【図４】
2005225283.tif 000006
【図５】
2005225283.tif 000007
【図６】
2005225283.tif 000008
【図７】
2005225283.tif 000009
【図８】
2005225283.tif 000010
【図９】
2005225283.tif 000011
【図１０】
2005225283.tif 000012
【図１１】
2005225283.tif 000013
【図１２】
2005225283.tif 000014